(57)【要約】【課題】  器具本体近傍の側面方向への温風の流動を規制する暖房装置を提供する。【解決手段】  器具本体１の一部を構成する前面側方板３９に前面板５の吹出口４に向けて複数のスリット４０を形成し、暖房運転を開始すると対流ファン２１で送風された空気がスリット４０から吹き出ることで、器具本体１を側面方向と背面方向が囲われた場所に設置し、暖房運転時に吹出口４から吹き出た温風が側面方向の壁に流動しても、スリット４０から吹き出た空気がエアカーテンとなり遮ることで、器具本体１の側面方向にある壁を加熱することがなく安全性を高めることができた。【選択図】  図８
2014016044.tif 000002
【特許請求の範囲】
【請求項１】
燃油を燃焼する燃焼部を内部に備えた器具本体と、該器具本体内に設置され前記燃焼部で発生した高温の燃焼ガスが流入する熱交換器と、前記器具本体の背面に設置され所定の回転数で駆動する対流ファンと、前記器具本体の前面に設置され前記対流ファンで送風された温風が吹き出る吹出口が形成された前面板と、前記器具本体の一部を構成し前記前面板の側方に設置された前面側方板とを備えた暖房装置において、前記前面側方板に前記吹出口へ開口を向け前記対流ファンで送風された空気が吹き出る開口部を形成したことを特徴とする暖房装置。
【請求項２】
前記開口部は複数のスリットで形成されたことを特徴とする請求項１に記載の暖房装置。
【発明の詳細な説明】
【技術分野】
【０００１】
この発明は、温風を送風して室内を暖める暖房装置に関するものである。
【背景技術】
【０００２】
従来、この種のものにおいて、器具本体の前面に複数枚の水平羽根を平行配設したルーバー枠で構成された吹出口を備え、該吹出口側方の端部を所定幅の吹出規制片で部分的に塞ぐことで、吹出口の側方から送風される高温の温風量を規制し、器具本体近傍の側方にある壁の温度上昇を防止することで、安全性を向上させたものがあった。（例えば、特許文献１）
【先行技術文献】
【特許文献】
【０００３】
【特許文献１】特許第３５７３７９４号公報
【発明の概要】
【発明が解決しようとする課題】
【０００４】
しかし、この従来のものでは、吹出口から送風された後の温風の流動方向は修正されていないため、吹出規制片で塞がれていない箇所の吹出口から側方へ温風が流動して壁を加熱してしまうので、器具本体近傍の側方にある壁の温度上昇を防止する手段として改善の余地があった。
【課題を解決するための手段】
【０００５】
上記課題を解決するために、本発明の請求項１では、燃油を燃焼する燃焼部を内部に備えた器具本体と、該器具本体内に設置され前記燃焼部で発生した高温の燃焼ガスが流入する熱交換器と、前記器具本体の背面に設置され所定の回転数で駆動する対流ファンと、前記器具本体の前面に設置され前記対流ファンで送風された温風が吹き出る吹出口が形成された前面板と、前記器具本体の一部を構成し前記前面板の側方に設置された前面側方板とを備えた暖房装置において、前記前面側方板に前記吹出口へ開口を向け前記対流ファンで送風された空気が吹き出る開口部を形成したものである。
【０００６】
また、請求項２では、前記開口部は複数のスリットで形成されたものである。
【発明の効果】
【０００７】
この発明の請求項１によれば、前面側方板に吹出口へ開口を向け対流ファンで送風された空気が吹き出る開口部を形成したので、吹出口から吹き出た温風が器具本体の側方に向けて流動しようとしても、前面側方板の開口部から吹き出された空気がエアカーテンとなって遮るため、器具本体近傍の側方にある壁を加熱することがなく、安全性を高めることが可能となった。
【０００８】
また、請求項２によれば、開口部は複数のスリットで形成されたので、前面側方板の強度を低下させることなく器具本体の側方に対してエアカーテンをすることが可能となり、安全性を高めることが可能となった。
【図面の簡単な説明】
【０００９】
【図１】この発明の一実施形態を示す暖房装置の斜視図
【図２】同発明の内部構造を説明する正面断面図
【図３】同発明の熱交換器を説明する側面断面図
【図４】同発明の制御部を説明する側面断面図
【図５】同発明の背面構造を説明する背面図
【図６】同発明の操作部の各ボタンを説明する図
【図７】同発明の前面送風板のスリット形状と温風及び空気の流動方向を説明する図
【図８】同発明の温風の送風方向について説明する図
【発明を実施するための形態】
【００１０】
次に、この発明を適用した暖房装置の一実施形態を図面に基づいて説明する。
１は温風と輻射による暖房を行う縦長の器具本体、２は暖房運転の開始や暖房運転における火力等の設定が可能なボタンを複数備えた操作部、３は通常の暖房運転時に設定温度や室内温度を表示し、異常発生時に所定のエラーコードを表示して使用者に異常内容を報知する表示部、４は器具本体１の前面に設置された前面板５の上下２箇所に形成され温風を室内に吹き出す吹出口である。
【００１１】
６は燃焼部であり、電磁ポンプ７から送油された所定量の燃油を気化ヒータ８で加熱して気化させる気化筒９と、該気化筒９の下部に設置され気化筒９の温度を検知するポットサーミスタ１０と、前記気化筒９の上方に設置され一次空気と均一に混合させてバーナヘッド１１の炎孔から気化された燃油を放出する整炎筒１２と、前記バーナヘッド１１の炎孔から放出した気化燃油に火花放電で着火する点火プラグ１３と、該点火プラグ１３で着火され図示しない風洞から送風された二次空気と混合した火炎の状態を監視するフレームロッド１４とで構成されている。
【００１２】
１５は燃焼部６で加熱され赤熱する赤熱筒、１６は前記赤熱筒１５の周囲を覆う耐熱性のガラス管、１７は前記ガラス管１６の背面側に備えられた反射板であり、前記赤熱筒１５の赤熱状態を反射させ、ガラス板で構成された輻射窓１８から室内に放射して輻射暖房を行う。
【００１３】
１９は器具本体１の正面視左下部に設置された燃焼ファンであり、図示しない回転数検知装置で検知した回転数をフィードバック制御することで、前記操作部２で設定した火力に対して最適な空燃比となる回転数で駆動する。
【００１４】
２０は前記ガラス管１６の上方に備えられ複数のパイプを併設して構成された熱交換器であり、赤熱筒１５通過後の燃焼ガスが各パイプ内を流通して室内空気と熱交換し、器具本体１の正面に形成された吹出口４から温風が室内に送風されることで、輻射暖房と共に温風暖房を行う。
【００１５】
２１は器具本体１の背面に設置されファンガード２２で周囲を覆われた対流ファンであり、操作部２で設定された火力に応じて所定の回転数で駆動し、熱交換器２０で加熱された空気を温風として吹出口４から室内に送風する。
【００１６】
２３は器具本体１の背面に設けられた給排気筒であり、室外から取り入れた空気を燃焼ファン１９へ導く給気ホース２４と、熱交換器２０で室内空気と熱交換された排ガスを室外に放出する排気ホース２５とが接続されており、室内の空気を汚すことなく暖房運転が行える。
【００１７】
２６は熱交換器２０の上方にある熱交上面板２７上に備えられ所定の高温度を検知する過熱防止サーモ、２８は前記過熱防止サーモ２６と同じく熱交上面板２７に備えられ前記過熱防止サーモ２６よりも低い所定の低温度を検知する温風温度センサであり、熱交換器２０付近の温度を検知して暖房運転に異常がないか監視する。
【００１８】
２９は家庭用のコンセントに差し込んで器具本体１へ電力を供給する電源プラグ、３０はリード線が断線したかで給排気筒２３と排気ホース２５との接続箇所が外れたことを検知する排気経路外れ検知用リード線、３１は室内の温度を検知する室内温度センサである。
【００１９】
３２は暖房運転の開始及び停止を指示する運転ボタン、３３は最大火力を抑えて消費電力と消費燃料とを低下させたエコモードを設定するエコボタン、３４は上下に頂点を向けた三角形状のボタンで火力や時刻の設定が可能な上下ボタン、３５は設定室温に対する火力を自動で調節する自動運転と火力を手動で調節する手動運転とを切り替える自動／手動ボタン、３６は現在の設定温度や設定火力に関わらず最小火力まで落として室内の暖まり過ぎを防止する微少ボタン、３７は設定された時刻に暖房運転を開始させるタイマーボタンであり、前記操作部２にそれぞれ備えられてある。
【００２０】
３８は器具本体１の正面に備えられた前面板５を囲う前面ガードであり、吹出口４や輻射窓１８に直接触れないようにして火傷を防止する。
【００２１】
３９は器具本体１の一部を構成し前面板５の側方に備えられ、前面板５に開口を向けた開口部としてのスリット４０を縦方向に複数形成した前面側方板であり、対流ファン２１で器具本体１内に取り入れた空気について反射板１７の背面側を通過させてスリット４０から吹き出すので、高温の気化筒９や熱交換器２０を通過させず低温の空気をスリット４０から室内に吹き出すものである。
【００２２】
４１は器具本体１の正面視右側面に備えられマイコンで構成された制御部であり、操作部２の各ボタンによる指示に基づいて燃焼ファン１９や対流ファン２１の回転数等を制御し、室内温度センサ３１で検知された現在の室温や時刻等を表示部３に表示させる。
【００２３】
次に、この暖房装置における暖房運転について詳細を説明する。
まず、操作部２の運転ボタン３２を操作すると気化ヒータ８に通電して気化筒９内を加熱し、ポットサーミスタ１０が１５０℃以上を検知したら燃焼ファン１９を所定の回転数で駆動させて燃焼空気を送風し、その後、ポットサーミスタ１０が２１０℃以上を検知したら、電磁ポンプ７をＯＮにして所定量の燃油を気化筒９内に噴射して気化させ、点火プラグ１３に通電して火花電流を発生させることで着火する。
【００２４】
着火後、フレームロッド１４で検知される炎電流値が所定値以上であるか確認して着火が成功したか判断し、着火が成功していれば対流ファン２１を駆動させ、操作部２の自動／手動ボタン３５で自動か手動のどちらが設定されているか確認する。
【００２５】
自動／手動ボタン３５で自動が設定されていれば、上下ボタン３４で設定された室内設定温度まで室温が上昇するように燃焼ファン１９の回転数や電磁ポンプ７から気化筒９内に送る燃油量を調節して燃焼量を増減させ、対流ファン２１の回転数を増減させて室内に送風する温風を調節するものであり、室内温度センサ３１で検知される室温と設定された室内温度とを比較して最適な火力での暖房運転を行う。
【００２６】
また、自動／手動ボタン３５で手動が設定されていれば、上下ボタン３４で設定された１灯から６灯までの火力に応じて燃焼ファン１９の回転数と電磁ポンプ７から気化筒９内に送る燃油量を調節し、対流ファン２１の回転数を調節して室内に送風する温風の強弱を変化させることで、使用者が設定した火力の暖房運転を行う。
【００２７】
次に、器具本体１の前面板５の吹出口４から送風される温風と前面側方板３９のスリット４０から送風される空気の流動方向について説明する。
図７で示すように、暖房運転時において前面板５に形成された吹出口４からは、気化筒９や熱交換器２０で加熱された温風が器具本体１の前面方向に向かって流動し、また、前面側方板３９に形成された複数のスリット４０からは、前面板５の吹出口４と前面側方板３９との間に形成された凹部に向かって対流ファン２１から送風された空気が吹き出され、該凹部から器具本体１の前面に向けて空気が流動する。
【００２８】
次に、器具本体１の設置場所と暖房運転時における温風の送風経路について説明する。
図８で示すように、側面方向と背面方向の三方が壁で囲われたマントルピース等に器具本体１を設置した場合、暖房運転を開始し前面板５の吹出口４から室内に温風を送風すると、吹出口４から吹き出た温風の一部が側面方向の壁に向かって流動しようとするが、前面側方板３９のスリット４０から吹き出る空気がエアカーテンとなり、器具本体１の側面方向へ流動する温風を前面方向へ案内するので、器具本体１の側面方向にある壁を加熱することなく暖房運転が行える。
【００２９】
以上のように、前面板５の側方にあり器具本体１の一部を構成する前面側方板３９について、前面板５の吹出口４方向へ開口を向け対流ファン２１で送風された空気が吹き出される複数のスリット４０を形成したので、器具本体１を側面方向と背面方向とが囲われたマントルピース等に設置した場合、吹出口４から側面方向に温風が流動しようとしても、スリット４０から吹き出る空気がエアカーテンとなり遮ることから、器具本体１近傍の側面方向にある壁を加熱することがなく安全性を高めた。
【００３０】
また、開口部としてのスリット４０を前面側方板３９に複数形成したことで、前面側方板３９の強度を低下させることなく吹出口４から吹き出る温風に対するエアカーテンを可能とし、器具本体１の側方にある壁を加熱することがなく安全性を高めた。
【００３１】
また、対流ファン２１で器具本体１内に取り入れた空気を反射板１７の背面側を通過させてスリット４０から室内に吹き出すので、高温の気化筒９や熱交換器２０を通過せず、ほぼ室内温度と同等の温度の空気が器具本体１内部の側面を通過するため、器具本体１の側面の加熱を防止可能としている。
【００３２】
なお、前記実施形態では本発明を石油ストーブに適用したものについて説明したが、これに限定されるものではなく、例えば、ガスストーブ等に適用可能なものである。
【符号の説明】
【００３３】
１    器具本体
２    操作部
３    表示部
４    吹出口
５    前面板
２０    熱交換器
２１    対流ファン
３９    前面側方板
４０    スリット
【図１】
2014016044.tif 000003
【図２】
2014016044.tif 000004
【図３】
2014016044.tif 000005
【図４】
2014016044.tif 000006
【図５】
2014016044.tif 000007
【図６】
2014016044.tif 000008
【図７】
2014016044.tif 000009
【図８】
2014016044.tif 000010